(57)【要約】【課題】  別の信号分配器を必要せず、大型画面を構成する際構成個数に影響を受けない映像ディスプレイ装置を提供する。【解決手段】  画面分割機能を有する映像ディスプレイ装置は、少くとも二つ以上の映像ディスプレイ装置を備える大画面システムにおいてそれぞれの映像ディスプレイ装置は、画面、映像入力信号をアナログーディジタル変換するビデオデコーダ及び外部からの制御信号に応答してビデオデコーダの出力信号のうち画面の一部領域にディスプレイされる出力信号を選択し、選択された出力信号を画面のサイズに適するよう拡大するスケーラを有する。【選択図】      図２
2004173277.tif 000002
【特許請求の範囲】
【請求項１】
少くとも二つ以上の映像ディスプレイ装置を備える大画面システムにおいてそれぞれの映像ディスプレイ装置は、
ディスプレイ装置と、
外部からの制御信号に応答して前記ディスプレイ装置にディスプレイされる映像信号のうち一部を選択し、選択された映像信号を前記ディスプレイ装置のサイズに適するよう拡大するスケーラとを含むことを特徴とする画面分割機能を有する映像ディスプレイ装置。
【請求項２】
前記スケーラは、
入力映像信号のうち一部を選択する信号選択部と、
該信号選択部によって選択された信号を前記ディスプレイ装置の再生領域に適するよう拡大するスケーリング部とを含むことを特徴とする請求項１に記載の画面分割機能を有する映像ディスプレイ装置。
【請求項３】
前記信号選択部は、
前記入力映像信号を所定時間貯蔵した後、前記スケーリング部に出力するバッファと、
前記画面分割のための設定値を貯蔵する設定値貯蔵部と、
該設定値貯蔵部からの既に格納された設定値のうちいずれか一つに応答して前記バッファに貯蔵された映像信号のうち一部を選択するバッファ制御部とを含むことを特徴とする請求項２に記載の画面分割機能を有する映像ディスプレイ装置。
【請求項４】
前記外部からの制御信号に応答して前記設定値貯蔵部に貯蔵された多数の設定値のうちいずれか一つを選択する制御部をさらに含むことを特徴とする請求項３に記載の画面分割機能を有する映像ディスプレイ装置。
【請求項５】
前記制御部に印加される前記制御信号に応じて所定のフォントを前記ディスプレイ装置に表示させ、前記画面分割機能をＯＳＤ上で制御可能にするＯＳＤ表示部をさらに含むことを特徴とする請求項４に記載の画面分割機能を有する映像ディスプレイ装置。
【請求項６】
前記制御信号は、
リモコン装置及び前記映像ディスプレイ装置に取付けられる設定キーによって発生されることを特徴とする請求項５に記載の画面分割機能を有する映像ディスプレイ装置。
【請求項７】
前記入力映像信号をアナログーディジタル変換してこれを前記スケーラに印加される映像フォーマットに変換するビデオデコーダをさらに含むことを特徴とする請求項１に記載の画面分割機能を有する映像ディスプレイ装置。
【請求項８】
外部からの制御信号に応答してディスプレイ装置の既に設定された領域にディスプレイする映像信号を選択する映像信号選択部と、
該映像信号選択部で選択された映像信号が入力されこれを順次に再配列するバッファと、
該バッファで再配列された映像信号をスケーリングするスケーラとを含むことを特徴とする画面分割機能を有する映像ディスプレイ装置。
【請求項９】
前記映像信号選択部は、
前記映像信号に付加される水平同期信号に基づき前記映像信号の所定領域を選択する第１の選択部と、
映像信号に付加される垂直同期信号に基づき前記映像信号の所定領域を選択する第２の選択部とを含むことを特徴とする請求項８に記載の画面分割機能を有する映像ディスプレイ装置。
【請求項１０】
前記第１の選択部は、
前記映像信号の所定領域を選択するための多数の初期値を貯蔵する第１の初期値貯蔵部と、
外部からの制御信号に応答して前記第１の初期値貯蔵部に貯蔵された初期値のうちいずれか一つを選択する第１マルチプレクサ;
前記第１のマルチプレクサで選択された初期値によって所定周期を有するパルスを生成する第１のカウンターと、
前記映像信号を前記第１のカウンターから出力されたパルスによってマスキングして、所望の領域の映像信号だけを出力する第１の排他的論理和ゲートとを含むことを特徴とする請求項９に記載の画面分割機能を有する映像ディスプレイ装置。
【請求項１１】
前記第２の選択部は、
前記映像信号の所定領域を選択するための多数の初期値を貯蔵する第２の初期値貯蔵部と、
外部からの制御信号に応答して前記第２の初期値貯蔵部に貯蔵された初期値のうちいずれか一つを選択する第２のマルチプレクサと、
該第２のマルチプレクサで選択された初期値によって所定周期を有するパルスを生成する第２のカウンターと、
前記映像信号を前記第２のカウンターから出力されたパルスによってマスキングして、所望の領域の映像信号だけを出力する第２の排他的論理和ゲートとを含むことを特徴とする請求項９に記載の画面分割機能を有する映像ディスプレイ装置。
【請求項１２】
前記外部からの制御信号に応答して所定のフォントを前記ディスプレイ装置にＯＳＤ表示させることによって前記画面分割機能をＯＳＤ上で制御可能にするＯＳＤ表示部をさらに含むことを特徴とする請求項８に記載の画面分割機能を有する映像ディスプレイ装置。
【発明の詳細な説明】
【技術分野】
【０００１】
本発明は映像ディスプレイ装置に係り、特に別の画面分割器を必要としない画面分割機能を有する映像ディスプレイ装置に関する。
【背景技術】
【０００２】
ＴＶ及びＰＤＰ(プラズマディスプレイパネル)のような映像ディスプレイ装置は３０〜６０インチ級の画面を有し、通常家庭で放送チャンネルを視聴する用途として使用される。このような映像ディスプレイ装置を広告、選挙のような用途で使用したい場合は多くの人が見られるようにするため大型画面を必要とする。通常、映像ディスプレイ装置をこのような用途として使用するためには多数個の映像ディスプレイ装置をあたかも一つの映像ディスプレイ装置のように使用するための映像信号分配器を使用してこれを解決している。
【０００３】
図１は従来の映像信号分配器を用いた画面分割システムに対する概念図である。図示された画面分割システムは、映像信号分配器１０と、映像信号分配器１０で分配された信号に応じてそれぞれ異る領域をディスプレイする映像ディスプレイ装置２１〜２４を有する。
【０００４】
映像信号分配器１０はビデオ、チューナ、及びその他映像信号源から印加される映像信号を四つに分割する。分割された信号はそれぞれの映像ディスプレイ装置２１〜２４の画面にフル−スクリーンで表現できるよう処理される。このように映像信号分配器１０は分割された映像信号をそれぞれフル-スクリーンに拡大するための機能を必須に具備すべきであり、示された画面分割システムが２×２、すなわち縦横にそれぞれ２倍に拡張する際４個、４×４の場合１６個の画面をフル-スクリーンで駆動するためのプロセッサを必要とする。これにより従来の画面分割システムは大型画面を構成できるよう高価の映像信号分配器１０を必要とし、映像ディスプレイ装置の個数(本図面では四つ（２１〜２４）)が映像信号分配器１０に具備される出力ポートの個数とマッチングされない場合大型画面を構成できない問題点がある。
【発明の開示】
【発明が解決しようとする課題】
【０００５】
本発明の目的は別の信号分配器を必要とせず、大型画面を構成する際構成個数に影響されない映像ディスプレイ装置を提供するところにある。
【課題を解決するための手段】
【０００６】
前述したような技術的課題を解決するため、本発明の画面分割機能を有する映像ディスプレイ装置は、少くとも二つ以上の映像ディスプレイ装置を備える大画面システムにおいてそれぞれの映像ディスプレイ装置は、ディスプレイ装置、及び外部からの制御信号に応答して前記ディスプレイ装置にディスプレイされる映像信号のうち一部を選択し、選択された映像信号を前記ディスプレイ装置のサイズに適するよう拡大するスケーラによって達成される。
【０００７】
望ましくは、前記スケーラは入力映像信号のうち一部を選択する信号選択部、及び前記信号選択部によって選択された信号を前記ディスプレイ装置の再生領域に適するよう拡大するスケーリング部を含む。
【０００８】
前記信号選択部は、前記入力映像信号を所定時間貯蔵した後、前記スケーリング部に出力するバッファ、前記画面分割のための設定値を貯蔵する設定値貯蔵部、及び前記設定値貯蔵部からの既に格納された設定値のうちいずれか一つに応答して前記バッファに貯蔵された映像信号のうち一部を選択するバッファ制御部を含むことが望ましい。
【０００９】
望ましくは、前記外部からの制御信号に応答して前記設定値貯蔵部に貯蔵された多数の設定値のうちいずれか一つを選択する制御部をさらに含む。
【００１０】
望ましくは、前記制御部に印加される前記制御信号に応じて所定のフォントを前記ディスプレイ装置に表示させ、前記画面分割機能をＯＳＤ上で制御可能にするＯＳＤ表示部をさらに含む。
【００１１】
前記制御信号は、リモコン装置及び前記映像ディスプレイ装置に取付けられる設定キーによって発生されることが望ましい。
【００１２】
望ましくは、前記入力映像信号をアナログーディジタル変換してこれを前記スケーラに印加される映像フォーマットに変換するビデオデコーダをさらに含む。
【００１３】
前述した目的は本発明によって、外部からの制御信号に応答してディスプレイ装置の既に設定された領域にディスプレイする映像信号を選択する映像信号選択部、該映像信号選択部で選択された映像信号を入力されこれを順次に再配列するバッファ、及び前記バッファで再配列された映像信号をスケーリングするスケーラによって達成される。
【００１４】
前記映像信号選択部は、前記映像信号に付加される水平同期信号に基づき前記映像信号の所定領域を選択する第１の選択部、及び映像信号に付加される垂直同期信号に基づき前記映像信号の所定領域を選択する第２の選択部を含むことが望ましい。
【００１５】
前記第１の選択部は、前記映像信号の所定領域を選択するための多数の初期値を貯蔵する第１の初期値貯蔵部、外部からの制御信号に応答して前記第１の初期値貯蔵部に貯蔵された初期値のうちいずれか一つを選択する第１のマルチプレクサ、該第１のマルチプレクサで選択された初期値によって所定の周期を有するパルスを生成する第１のカウンター及び前記映像信号を前記第１のカウンターから出力されたパルスによってマスキングして、所望の領域の映像信号だけを出力する第１の排他的論理和ゲートを含むことが望ましい。
【００１６】
前記第２の選択部は、前記映像信号の所定領域を選択するための多数の初期値を貯蔵する第２の初期値貯蔵部、外部からの制御信号に応答して前記第２の初期値貯蔵部に貯蔵された初期値のうちいずれか一つを選択する第２のマルチプレクサ、前記第２のマルチプレクサで選択された初期値によって所定の周期を有するパルスを生成する第２のカウンター、及び前記映像信号を前記第２のカウンターから出力されたパルスによってマスキングして、所望の領域の映像信号だけを出力する第２の排他的論理和ゲートを含むことが望ましい。
【００１７】
望ましくは、前記外部からの制御信号に応答して所定のフォントを前記ディスプレイ装置にＯＳＤ表示させることによって、前記画面分割機能をＯＳＤ上で制御可能にするＯＳＤ表示部をさらに含む。
【発明の効果】
【００１８】
本発明はＮ×Ｎ大画面システムを構成する際別の信号分配器を必要とせず、大画面システムを具現する際映像ディスプレイ装置の個数に制限されない。また、大画面システムで構成されない時は放送チャンネルを受信するための通常の映像ディスプレイ装置としても使用できる。
【発明を実施するための最良の形態】
【００１９】
以下、添付した図面に基づき本発明をさらに詳細に説明する。
【実施例】
【００２０】
図２は本発明の画面制御機能を有する映像ディスプレイ装置の望ましい第１の実施例によるブロック概念図である。画面制御機能を有する映像ディスプレイ装置は、ビデオデコーダ１１０、デインタレーサ１２０、スケーラ１３０、ＰＤＰパネル１４０、ＯＳＤ表示部１５０、及び制御部１６０を有する。
【００２１】
ビデオデコーダ１１０は放送局、ビデオ及びその他映像信号源から印加される映像信号をアナログーディジタル変換する。
【００２２】
デインタレーサ１２０はビデオデコーダ１１０からのディジタル映像信号をプログレッシブ方式に変換する。
【００２３】
スケーラ１３０はデインタレーサ１２０でプログレッシブ方式で変換され出力されるディジタル映像信号をＰＤＰパネル１４０が有する解像度に合うよう変換する。また、スケーラ１３０はリモコン装置(図示せず)のような外部制御装置から発生される制御信号に応答された制御部１６０によって制御され、デインタレーサ１２０から出力されるディジタル映像信号の所定領域だけを選択しスケーリングし、これをＰＤＰパネル１４０に出力することができる。これにより、本スケーラを装着する映像ディスプレイ装置は特定領域だけをＰＤＰパネル１４０にディスプレイすることによって多数個の映像ディスプレイ装置で構成される大画面システム(例えば、マルチビジョンシステム)に適用できる。
【００２４】
制御部１６０はリモコン装置(図示せず)のような外部制御装置で発生される制御信号(sel〜sel４)に応答してスケーラ１３０を制御する。また、制御信号(sel〜sel４)に応答してＯＳＤ表示部１５０を制御することによってＯＳＤ表示部１５０でＰＤＰパネル１４０に所定の文字及びメニューをディスプレイさせる。ここで、制御信号(sel〜sel４)はそれぞれ２×２、４×４、８×８大画面システムのうちいずれか一つを選択するための信号を示す。
【００２５】
ＯＳＤ表示部１５０はＰＤＰパネル１４０にディスプレイする所定のフォント及びメニューを内蔵し、制御部１６０によって制御されＰＤＰパネル１４０にこれを表示する。
【００２６】
望ましくは、スケーラ１３０はスケーリング部１３１、フレームバッファ１３２、フレームバッファ制御部１３３、設定値貯蔵部１３４を有する。以下、スケーラ１３０を図３Ａ及び図３Ｂを共に参照して説明する。
【００２７】
スケーリング部１３１はデインタレーサ１２０からのディジタル映像信号をＰＤＰパネル１４０が有する解像度に合うよう拡大する。この際、スケーリング部１３１は入力されたディジタル映像信号を早速拡大せず、先ずフレームバッファ１３２に送って所定時間遅延後、これを再び入力され拡大する。
【００２８】
フレームバッファ１３２はスケーリング部１３１から印加されるディジタル映像信号を所定時間遅延後、これを再びスケーリング部１３１に出力する。一方、設定値貯蔵部１３４は制御部１６０から印加される制御信号に応答して既に貯蔵された設定値のうち一つをフレームバッファ制御部１３３に出力する。設定値貯蔵部１３４は大画面システムを構成する際、大画面を構成する映像媒体のうちいずれの画面であるか、画面サイズはどれかに対するデータを保存する。例えば、図３Ａに示したような大画面システムで本映像ディスプレイ装置のＰＤＰパネル１４０が１番位置にディスプレイされる場合、スケーラ１３０はスケーラ１３０に印加されるディジタル映像信号のうち１番位置に該当するディジタル映像信号を選択してＰＤＰパネル１４０でフル−スクーリンで再生する。すなわち、スケーラ１３０に図３Ｂに示したようなディジタル映像信号ａが印加する際、ｂ領域ほど選択してこれをスケーリングした後、ＰＤＰパネル１４０にディスプレイすれば良い。従って、設定値貯蔵部１３４はこれに関連するデータ、すなわち大画面システムが４×４システムであり大画面システムの１番領域にディジタル映像信号をディスプレイするという情報をフレームバッファ制御部１３３に伝送し、フレームバッファ制御部１３３はこれに応答してフレームバッファ１３２に貯蔵されたディジタル映像信号のうち１/４だけをスケーリング部１３１に伝送するようフレームバッファ１３２を制御する。同様に、大画面システムが８×８の場合、ｂ領域はフレームバッファ１３２に貯蔵された映像信号の１/８になる。
【００２９】
図４は本発明の第２の実施例によるブロック概念図である。図示された映像ディスプレイ装置は、ビデオデコーダ２１０、デインタレーサ２２０、映像信号選択部２３０、フレームバッファ２４０、スケーラ２５０、及びＰＤＰパネル２６０を有する。
【００３０】
ここで、図３Ａ〜図３Ｂによる実施例と重複されるブロックに対する説明は一部省略する。
【００３１】
映像信号選択部２３０はデインタレーサ２２０から出力されるディジタル映像信号を水平同期信号(HSYNC)と垂直同期信号(VSYNC)を基準にして、それぞれ水平同期信号(HSYNC)と垂直同期信号(VSYNC)に付加されるディジタル映像信号のうち一部を選択する。
【００３２】
フレームバッファ２４０は映像信号選択部２３０でそれぞれ水平同期信号(HSYNC)及び垂直同期信号（VSYNC）を基準に選択されたディジタル映像信号を一つのディジタル映像信号で再構成する。
【００３３】
スケーラ２５０はフレームバッファ２４０に貯蔵されたディジタル映像信号をＰＤＰパネル２６０が有する解像度に合わせてこれを拡大してＰＤＰパネル２６０に出力する。
【００３４】
望ましくは、映像信号選択部２３０は第１の選択部２３０ａ、及び第２の選択部２３０ｂを有する。
【００３５】
第１の選択部２３０ａは水平同期信号(HSYNC)を基準にして水平同期信号(HSYNC)に付加されるディジタル映像信号を選択する。例えば、それぞれの水平同期信号(HSYNC)間に７２０画素に対応するディジタル映像信号が位置し、本映像ディスプレイ装置を４×４大画面システムの１番領域で使用すれば(図３Ａ参照)、水平同期信号(HSYNC)間に位置する７２０画素のディジタル映像信号のうち１８０画素だけを必要とする。すなわち、第１の選択部２３０ａは水平同期信号に付加されるディジタル映像信号のうち前段の１８０画素だけを選択できれば良い。
【００３６】
第２の選択部２３０ｂは垂直同期信号(VSYNC)を基準にして垂直同期信号に付加されるディジタル映像信号を選択する。例えば、一つの映像フレームが７２０×４８０ラインで構成され、本映像ディスプレイ装置を４×４大画面システムの１番領域で使用する場合(図３Ａ参照)、最初の垂直同期信号を基準に４８０個の垂直同期信号のうち１２０個を選択する。
【００３７】
望ましくは、第１の選択部２３０ａは第１の初期値貯蔵部２３１ａ、第１のマルチプレクサ(第１のＭＵＸ)２３２ａ、第１のカウンター２３３ａ、及び第１の排他的論理和ゲート２３４ａを有する。以下、図５Ａを共に参照して説明する。
【００３８】
第１の初期値貯蔵部２３１ａは本映像ディスプレイ装置を大画面システムに適用する際、大画面システムで必要とする画面分割比による設定値を内蔵する。第１のマルチプレクサ(第１のＭＵＸ)２３２ａはリモコン装置のような外部装置から発生される制御信号(select１)に応答して第１の初期値貯蔵部２３１ａに貯蔵された設定値のうちいずれか一つを選択して第１のカウンター２３３ａに出力する。第１のカウンター２３３ａは第１のマルチプレクサ２３２ａから印加される設定値に応答して所定の幅を有するパルスを出力する。ここで、設定値は第１のカウンター２３３ａが基準クロックCLKを計数する時間と終了する時間に対する情報を有する。図５Ａの（ｂ）は本映像ディスプレイ装置が４×４大画面システムの１番領域をディスプレイする際、カウンターの出力パルスを形態を示した図である。示された通り、第１のカウンター２３３ａは第１のマルチプレクサ(第１のＭＵＸ)２３２ａを通して入力された設定値によって基準クロックＣＬＫを所定回数の間計数し、計数された後は論理“ハイ”を有するパルスを出力する。これにより、デインタレーサ２２０と第１のカウンター２３３ａの出力パルスを印加される排他的論理和ゲート２３４ａは図５Ａの（ａ）に示されたディジタル映像信号をマスキングして、図５Ａの（ｃ）領域だけをフレームバッファ２４０に出力する。
【００３９】
図５Ｂは本映像ディスプレイ装置を２×２大画面システムに適用する際、第１のカウンター２３３ａの出力パルスの形態を示した図である。示した通り、第１のカウンター２３３ａはディジタル映像信号の後半部１/２をマスキングして図５Ｂの（ｃ）のようなパルスを排他的論理和ゲート２３４ａに印加する。図５Ｃは本映像ディスプレイ装置を大画面システムに適用しない場合のカウンターのパルスの形態を示した図であって、第１のカウンター２３３ａは論理“ロー”のパルスを出力することによってディジタル映像信号全体がＰＤＰパネル２６０でディスプレイされるようにする。
【００４０】
望ましくは第２の選択部２３０ｂは第２の初期値貯蔵部２３１ｂ、第２のマルチプレクサ(第２のＭＵＸ)２３２ｂ、及び第２のカウンター２３３ｂを有する。
【００４１】
第２の初期値貯蔵部２３１ｂは本映像ディスプレイ装置を大画面システムに適用する際必要なディスプレイ領域によるカウンター値を有する。第２のマルチプレクサ(第２のＭＵＸ)２３２ｂはリモコン装置(図示せず)のような外部装置から発生される制御信号(select２)に応答して第２の初期値貯蔵部２３１ｂに貯蔵された設定値のうちいずれか一つを第２のカウンター２３２ｂに印加する。第２のカウンター２３３ｂは第２のマルチプレクサ(第２のＭＵＸ)２３２ｂから印加される設定値に応答して垂直同期信号及びこれに付属するディジタル映像信号のうち所定領域を選択する。ここで、設定値は第２の初期値貯蔵部２３１ｂから第２のマルチプレクサ(第２のＭＵＸ)２３２ｂを経由して第２のカウンター２３３ｂに印加される値であって、第２のカウンター２３３ｂの計数開始と終了時間に対する情報を有する。第２の排他的論理和ゲート２３４ｂはデインタレーサ２２０から出力されるディジタル映像信号を第２のカウンター２３３ｂから出力されるパルスによってマスキングしてフレームバッファ２４０に出力する。
【００４２】
図６は本映像ディスプレイ装置をＯＳＤメニューによって設定することに対する一例を示す図である。本映像ディスプレイ装置のＯＳＤメニューはチャンネル設定メニュー３１０、画質設定メニュー３２０、音響メニュー３３０、及びその他メニュー３４０を有する。本画面分割機能はその他メニュー３４０に含まれる。リモコン装置(図示せず)や本映像ディスプレイ装置に取付けられる設定キー３５０によってその他メニュー３４０を選択すればマルチビジョンと時間調整のためのメニューがディスプレイされる。次いでマルチビジョンを選択すれば大画面システムの構造を問うサブメニューウィンド３１２が飛び出し、２×２大画面システムを選択する際、大画面システムでディスプレイする位置を問うメニューがディスプレイされる。前述したような映像ディスプレイ装置及びメニューによって本映像ディスプレイ装置は高価の信号分配器を必要とせず、信号分配器が有する限界、すなわち大画面システムを構成する際、信号分配器が有する出力ポートの個数によって映像ディスプレイ装置の個数が制限される問題点が発生しない。
【００４３】
以上で代表的な実施例を通して本発明について詳細に説明したが、本発明の属する技術分野において通常の知識を持つ者は前述した実施例について本発明の範疇から逸脱しない限度内で多様な変形が可能であることを理解できよう。従って、本発明の権利範囲は説明された実施例に限られず、特許請求の範囲だけでなく本特許請求の範囲と均等なものによって定められるべきである。
【産業上の利用可能性】
【００４４】
本発明はＣＲＴ、ＰＤＰ、ＴＶ、ビデオ、ＬＣＤ及びその他映像信号をディスプレイする装置に適用して映像ディスプレイ装置の個数に限られず大画面システムを構成することができる。
【図面の簡単な説明】
【００４５】
【図１】従来の映像信号分配器を用いた画面分割システムに対する概念図である。
【図２】本発明の画面制御機能を有する映像ディスプレイ装置の望ましい第１の実施例によるブロック概念図である。
【図３Ａ】図２の設定値貯蔵部及びフレームバッファ制御部の動作を説明するための図である。
【図３Ｂ】図２の設定値貯蔵部及びフレームバッファ制御部の動作を説明するための図である。
【図４】本発明の第２の実施例によるブロック概念図である。
【図５Ａ】図４に示した第１のカウンター及び排他的論理和ゲートの出力波形を示す波形図である。
【図５Ｂ】図４に示した第１のカウンター及び排他的論理和ゲートの出力波形を示す波形図である。
【図５Ｃ】図４に示した第１のカウンター及び排他的論理和ゲートの出力波形を示す波形図である。
【図６】本映像ディスプレイ装置をＯＳＤメニューによって設定するものに対する一例を示した図である。
【符号の説明】
【００４６】
１１０、２１０  ビデオデコーダ
１２０、２２０  デインタレーサ
１３０、２５０  スケーラ
１３１    スケーリング部
１３２、２４０  フレームバッファ
１３３    フレームバッファ制御部
１３４    設定値貯蔵部
１４０、２６０  ＰＤＰパネル
１５０    ＯＳＤ表示部
１６０    制御部
２３０    映像信号選択部
２３１ａ  第１の初期値貯蔵部
２３１ｂ  第２の初期値貯蔵部
２３２ａ  第１のＭＵＸ
２３２ｂ  第２のＭＵＸ
２３３ａ  第１のカウンター
２３３ｂ  第２のカウンター
【図１】
2004173277.tif 000003
【図２】
2004173277.tif 000004
【図３Ａ】
2004173277.tif 000005
【図３Ｂ】
2004173277.tif 000006
【図４】
2004173277.tif 000007
【図５Ａ】
2004173277.tif 000008
【図５Ｂ】
2004173277.tif 000009
【図５Ｃ】
2004173277.tif 000010
【図６】
2004173277.tif 000011